(57)【要約】【課題】小型化、薄型化、軽量化、多機能化を追及しつつ携帯性と耐衝撃性を高めた携帯型電子機器を提供する。【解決手段】情報を表示するための第１の表示部と、前記第１の表示部の周りに設けられて前記第１の表示部よりも厚い厚さを有する保護部であって、前記第１の表示部を保護部から窪んだ位置に配置することによって前記第１の表示部を保護するほぼパイプ形状を有する保護部とを有することを特徴とする携帯型電子機器を提供する。【選択図】　　　　　図１
2004021862.tif 000002
【特許請求の範囲】
【請求項１】
携帯型電子機器であって、
情報を表示するための第１の表示部と、
前記第１の表示部の周りに設けられて前記第１の表示部よりも厚い厚さを有する保護部であって、前記第１の表示部を保護部から窪んだ位置に配置することによって前記第１の表示部を保護するほぼパイプ形状を有する保護部とを有することを特徴とする電子機器。
【請求項２】
携帯型電子機器であって、
情報を表示するための第１の表示部と、
前記第１の表示部の周りに設けられて前記第１の表示部よりも厚い厚さを有する保護部であって、前記第１の表示部を保護部から窪んだ位置に配置することによって前記第１の表示部を保護する保護部と、
前記保護部に収納され、前記電子機器の機能を拡張する機能拡張部とを有することを特徴とする電子機器。
【請求項３】
前記電子機器は、前記第１の表示部と前記保護部との間に配置され、前記第１の表示部に加わる衝撃を低減するための衝撃吸収部材を更に有することを特徴とする請求項１又は２記載の電子機器。
【請求項４】
前記保護部は、
第１の材料からなる基部と、
第１の材料よりも熱伝導率が低い第２の材料からなる把持部とを有することを特徴とする請求項１又は２記載の電子機器。
【請求項５】
前記第１の材料はマグネシウムを含むことを特徴とする請求項４記載の電子機器。
【請求項６】
前記第２の材料は樹脂を含むことを特徴とする請求項４記載の電子機器。
【請求項７】
前記機能拡張部は、無線通信部を有することを特徴とする請求項２記載の電子機器。
【請求項８】
前記機能拡張部は、ディジタル情報として被写体を撮影可能な電子撮像部と電話の機能とを有し、前記電子機器をテレビ電話として機能することを可能にすることを特徴とする請求項２記載の電子機器。
【発明の詳細な説明】
【０００１】
【産業上の利用分野】
本発明は、一般に、電子機器に係り、特に、液晶ディスプレイ（以下、単に「ＬＣＤ」という。）などの表示部を有する携帯型電子機器に関する。本発明は、例えば、ＷｅｂＰＡＤに好適である。ここで、「ＷｅｂＰＡＤ」とは、携帯型ウェブアクセスツールとして機能するＬＣＤ一体型の無線情報端末である。もっとも、本発明の携帯型電子機器は、ＷｅｂＰＡＤに限定されず、ノート型パーソナルコンピュータ（以下、「ノート型ＰＣ」という。）、ゲーム機、パーソナルディジタルアシスタンツ（以下、「ＰＤＡ（Ｐｅｒｓｏｎａｌ　Ｄｉｇｉｔａｌ　Ａｓｓｉｓｔａｎｔｓ）」という。）、携帯テレビなどもカバーする。
【０００２】
【従来の技術】
近年の電子機器の発達により、携帯電話やＰＤＡなどの携帯端末は、携帯に便宜なように小型化、薄型化、軽量化が益々求められてきた。その一方で、ユーザの嗜好に合わせて、携帯端末の多機能化も図られている。
【０００３】
例えば、近年のインターネットの発達により、ＰＣのみからでなく携帯電話その他の電子機器からもインターネットにアクセスする需要が増えてきた。このため、最近では、ＷｅｂＰＡＤと呼ばれる携帯型無線情報端末も登場するに至った。ＷｅｂＰＡＤは、ウェブ情報を表示するためのＬＣＤと、インターネットにアクセスするためのアンテナとを含む無線通信部とを有している。
【０００４】
【発明が解決しようとする課題】
しかし、携帯性を重視して小型化、薄型化及び軽量化を追求すると耐衝撃性が低下して落下などに対して容易に内部の電子回路が破損するおそれがある。特に、ＷｅｂＰＡＤのＬＣＤは、一般に、携帯電話の表示部よりも大きく破損しやすい。更に、薄型化を追求している従来のＷｅｂＰＡＤは、比較的大きなＬＣＤを備えている一方で装置全体の表面が比較的平坦であるために、ユーザが装置を持ちにくく、手から滑って落下するなど必ずしも携帯性が高くない。
【０００５】
一方、多機能化を追求するために携帯端末に機能拡張部材を取り付けると、当該機能拡張部材が携帯端末の表面に露出して破損や損失につながる場合が多い。例えば、感度を高めるために、ＷｅｂＰＡＤのアンテナに内部アンテナではなく外部に露出するアンテナを使用すると、ＷｅｂＰＡＤの不使用時に外部部材と接触してアンテナが引っかかって曲がったり折れたりする。また、ＬＣＤに、ペンを使用して情報を入力するタッチパネル機能を備え、ペンを固定する固定部をＬＣＤの筐体側部に設けると、ＷｅｂＰＡＤの不使用時に外部部材と接触してペンが固定部から外れてなくなったり、固定部が破損したりする。
【０００６】
そこで、本発明は、小型化、薄型化、軽量化、多機能化を追及しつつ携帯性と耐衝撃性を高めた携帯型電子機器を提供することを例示的な目的とする。
【０００７】
【課題を解決するための手段】
かかる目的を達成するために、本発明の一側面としての携帯型の電子機器は、情報を表示するための第１の表示部と、前記第１の表示部の周りに設けられて前記第１の表示部よりも厚い厚さを有する保護部であって、前記第１の表示部を保護部から窪んだ位置に配置することによって前記第１の表示部を保護するほぼパイプ形状を有する保護部とを有することを特徴とする。かかる電子機器は、表示部と保護部により電子機器の表面には凹凸が形成されるので持ちやすく携帯性が向上している。第１の表示部を保護部から奥まった箇所に設けることによって床などに落下しても第１の表示部が直接床などに衝突しないようにして耐衝撃性を高めている。パイプ形状は持ちやすいので、かかる形状により携帯性を高めることができる。また、パイプ形状が曲面を有すれば衝撃を分散させることに役立つ。
【０００８】
また、本発明の別の側面としての携帯型の電子機器は、情報を表示するための第１の表示部と、前記第１の表示部の周りに設けられて前記第１の表示部よりも厚い厚さを有する保護部であって、前記第１の表示部を保護部から窪んだ位置に配置することによって前記第１の表示部を保護する保護部と、前記保護部に収納され、前記電子機器の機能を拡張する機能拡張部とを有することを特徴とする。かかる電子機器は、表示部と保護部により電子機器の表面には凹凸が形成されるので持ちやすく携帯性が向上している。第１の表示部を保護部から奥まった箇所に設けることによって床などに落下しても第１の表示部が直接床などに衝突しないようにして耐衝撃性を高めている。また、保護部は、機能拡張部の収納部としても機能させることによって保護部の多機能化を図ると共に、機能拡張部が外部に露出することを防止して故障や紛失を防止している。
【０００９】
前記電子機器は、前記第１の表示部と前記保護部との間に配置され、前記第１の表示部に加わる衝撃を低減するための衝撃吸収部材を更に有してもよい。ゴムなどの衝撃吸収部材により、表示部の耐衝撃性を更に高めることができる。
【００１０】
前記保護部はマグネシウムであってもよい。マグネシウムは、強度が高いので電子機器の小型化、薄型化、軽量化に資するからである。前記保護部は、第１の材料からなる基部と、第１の材料よりも熱伝導率が低い第２の材料からなる把持部とを有してもよい。把持部に熱伝導率の低い第２の材料を使用することにより、低温火傷対策をとることができる。また、前記第１の材料はマグネシウムであってもよい。マグネシウムは、強度が高いので電子機器の小型化、薄型化、軽量化に資するからである。また、前記第２の材料は樹脂であってもよい。樹脂は、ユーザの低温火傷を防止するだけでなく、滑り止め機能も有して携帯性を更に向上させる。
【００１１】
前記第１の表示部は厚さ約１５乃至２０ｍｍを有する液晶ディスプレイであり、前記第１の表示部の上下方向に約３乃至５ｍｍの高さの差が形成されるように、前記第１の表示部は前記保護部に固定されてもよい。かかる高さの差により、耐衝撃性を図ることができる。前記電子機器の重量は、例えば、７００ｇ乃至１０００ｇである。前記保護部は、ほぼパイプ形状を有してもよい。パイプ形状は持ちやすいので、かかる形状により携帯性を高めることができる。また、パイプ形状が曲面を有すれば衝撃を分散させることに役立つ。
【００１２】
前記機能拡張部は無線通信部を有してもよい。前記無線通信部は、インターネットに接続するためのアンテナや、無線ＬＡＮカード、ブルートゥースモジュールなどを含んでもよい。これにより、アンテナなどが破損及び損失することを防止することができる。
【００１３】
前記機能拡張部は、前記電子機器の動作状態を表示するための第２の表示部を有してもよい。例えば、第２の表示部はＬＣＤであり、バッテリの容量、外部電源との接続、無線通信状態、メモリへのアクセス、電子機器の異常を表示する。前記機能拡張部は前記電子機器の電源としてのバッテリを有してもよい。また、前記バッテリは充電可能な二次バッテリであり、前記電子機器は、前記バッテリを充電するための充電器と接続可能な接続部を更に有してもよい。
【００１４】
前記機能拡張部は、ディジタル情報として被写体を撮影可能な電子撮像部（例えば、ＵＳＢディジタルカメラ）を有してもよい。前記機能拡張部は、電話の機能を有してもよい。かかる電話は、例えば、ＩＰ電話としても機能する。前記機能拡張部は、ディジタル情報として被写体を撮影可能な電子撮像部と電話の機能とを有し、前記電子機器をテレビ電話として機能することを可能にしてもよい。
【００１５】
前記機能拡張部は、前記電子機器を再起動するためのリセットスイッチや、前記電子機器の電源をオンオフするための電源スイッチ、スピーカー、前記電子機器の機能を拡張するための機能拡張装置を接続するためのＵＳＢポートを有してもよい。また、前記機能拡張部は、前記表示部を介して前記電子機器に情報を入力するためのペン及びその収納部、Ｉｒ受信部（例えば、ワイヤレスキーボートやテレビのリモコン）と交信可能なポート、赤外線データ通信用のポート、ヘッドホンと接続可能なコネクタ、前記電子機器に音声を入力するためのマイクと接続可能なコネクタ、前記電子機器を外部電源に接続するためのＡＣアダプタ用のコネクタを有してもよい。更に、前記機能拡張部は、前記電子機器を放熱するための放熱部、例えば、ファンを有してもよい。また、前記第１の表示部は液晶ディスプレイを含み、前記機能拡張部は前記液晶ディスプレイのバックライト用のインバータを含んでもよい。
【００１６】
前記機能拡張部は、前記表示部を卓上に所定の傾斜姿勢で載置するためのスタンドを有してもよい。これにより、電子機器は卓上の使用にも適するようになる。例えば、前記スタンドは前記保護部に対して回転可能に設けられ、前記電子機器は前記スタンドと係合して前記スタンドを固定するための保持部を更に有してもよい。これにより、表示部の前記傾斜姿勢を固定することができる。前記スタンドは前記保護部に対して折り畳み可能に設けられ、前記電子機器は前記折り畳まれたスタンドを固定するためのロック部を更に有してもよい。これにより、不使用時にスタンドは折り畳まれ、ロック部が展開を防止するため、不使用時にスタンドが外部部材と接触して折れ曲がることを防止することができる。前記折り畳まれたスタンドは部分的に前記表示部上に載置され、前記表示部から見た前記スタンドの高さは前記保護部の高さよりも低いことが好ましい。これにより、スタンドは電子機器の薄型化を妨げない。
【００１７】
本発明の他の目的と更なる特徴は、以下、添付図面を参照して説明される実施例において明らかになるであろう。
【００１８】
【発明の実施形態】
以下、添付図面を参照して、本発明の一実施形態の携帯型電子機器１００について説明する。本実施形態では、ＷｅｂＰＡＤを例に説明する。ここで、図１（ａ）は、ＷｅｂＰＡＤ１００の外観斜視図である。また、図１（ｂ）は、ＷｅｂＰＡＤ１００の端部の誇張された部分拡大断面図である。
【００１９】
なお、「携帯型電子機器」は、ＰＤＡ、ハンドヘルドパソコン、パームサイズパソコン、ウェアラブルコンピュータ、携帯型電子機器、携帯端末などを含み、その大きさもＡ４サイズ、Ｂ５サイズ、サブノートサイズ、ミニノートサイズなどをカバーするが、小型であっても車のナビゲーションシステムのように携帯を目的としないものは除く。
【００２０】
ＷｅｂＰＡＤ１００は、筐体１０１を有する。筐体１０１は、中央部１０２を周囲１０４よりも窪んだ位置に配置している。中央部１０２には、後述するように、破損しやすいＬＥＤ等の表示部を配置し、周囲１０４はこれを保護するための保護部として機能する。即ち、周囲１０４は、中央部１０２よりも厚い厚さを有し、中央部１０２を周囲１０４から窪んだ位置に配置することによって表示部１０２を保護する。周囲１０４の高さＨ１は、例えば、１８乃至２５ｍｍであり、中央部１０２の高さＨ２は、例えば、１５乃至２０ｍｍである。中央部１０２は、周囲１０４の端から距離Ｈ３の位置に配置され、距離Ｈ３は、例えば、３乃至５ｍｍである。このようにＷｅｂＰＡＤ１００は、中央部１０２を周囲１０４から奥まった箇所に設けることによって床などに落下しても中央部１０２が直接床などに衝突しないように構成し、その耐衝撃性を高めている。前記電子機器の重量は、例えば、７００ｇ乃至１Ｋｇであり、軽量化を実現している。
【００２１】
また、中央部１０２と周囲１０４により、電子機器１００の表面には凹凸が形成されるので持ちやすく携帯性が向上している。即ち、従来は、電子機器の表面が平坦であったため、ユーザの指が滑って落として電子機器を破損するおそれがあり、携帯性は高くなかった。これに対して、本発明は電子機器１００の表面に凹凸を形成して携帯性を向上させている。特に周囲１０４は、ほぼパイプ形状を有して持ちやすく携帯性は高い。また、パイプ形状が曲面を有すれば衝撃を分散させることに役立つ。
【００２２】
更に、周囲１０４は、後述するように、電子機器１００の機能を拡張する機能拡張部の収納部としても機能し、多機能化を図ると共に、機能拡張部が外部に露出して故障や紛失することを防止している。
【００２３】
図２及び図３に示すように、ＷｅｂＰＡＤ１００は、アッパーカバー１１０と、ペン１５０と、タッチパネル１２２と、ＬＣＤ１２４と、トレイ１２６と、ホールド部１２８及び１３０と、メインボード１３２と、アンテナカバー１３４と、ローアーカバー１４０と、各種機能拡張部を有する。ここで、図２は、ＷｅｂＰＡＤ１００の展開斜視図である。図３（ａ）は、ＷｅｂＰＡＤ１００の平面図、図３（ｂ）は、ＷｅｂＰＡＤ１００の上面図、図３（ｃ）はＷｅｂＰＡＤ１００の左側面図、図３（ｄ）は、ＷｅｂＰＡＤ１００の右側面図である。
【００２４】
機能拡張部は、本実施形態では、ペン１５０、ＵＳＢポート１５２、図示しない無線通信アンテナ（又はＰＣカード）、無線ＬＡＮカード１５４、ＬＥＤ１５６、Ｉｒ受信部１５８、一対のスピーカー１６０、電源スイッチ１６２、リセットスイッチ１６４、外部マイク用コネクタ１６６、ヘッドホン用コネクタ１６８、ＩｒＤＡポート１７０、放熱部１７２、ＡＣアダプタ端子１７４、インバータ１７６、バッテリ部１７８を含む。
【００２５】
但し、機能拡張部は、ＰＣカード、各種ポインティングデバイス、ブルートゥースモデム、プリンターコネクタ、周辺機器とのインターフェース部、装置筐体のセキュリティ部などを含んでもよい。
【００２６】
ここで、「ＰＣカード」とは、ＰＣＭＣＩＡ（Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）とＪＥＩＤＡ（日本電子工業振興協会）が共同で制定したパソコン用のカード型周辺機器の規格をいう。インターフェース部は、パラレルインターフェース（ＩＥＥＥ１２８４やＩＥＥＥ１３９４など）、シリアルインターフェース（ＲＳ−２３２ＣやＲＳ−４２２など）、ＩＤＥ（エンハンストＩＤＥなどを含む）、ＳＣＳＩ（ＳＣＳＩ−２、ＳＣＳＩ−３などを含む）、Ｕｌｔｒａ　ＡＴＡ、ＵＳＢ、ＡＴＡＰＩ、１０ＢＡＳＥ−２、１０ＢＡＳＥ−Ｔ、１０ＢＡＳＥ−Ｔ、ＭＩＤＩ、ＺＶポート、カードバス（ＣａｒｄＢｕｓ）及びＩｒＤＡを含むが、これらに限定されるものではない。また、周辺機器は、例えば、情報記録装置（ＭＯ、ＦＤＤ、ＣＤ−ＲＯＭ、ＤＶＤ、ＬＳ１２０、ＨＤＤなど）、増設バッテリ、ＡＣアダプタ、ＵＳＢコネクタ、ＰＣカード、通信装置（無線通信装置、赤外線通信装置その他の通信装置）、印刷装置（プリンタなど）、情報読取装置（スキャナ、ＯＣＲなど）、セキュリティ装置（指紋認識装置、音声認識装置、網膜認識装置などのバイオメトリック装置）、撮像装置（ディジタルカメラ、ＣＣＤカメラなど）、ＧＰＳ装置、カードリーダ、バーコードリーダ及び携帯電話ホルダを含むが、これらに限定されるものではない。例えば、ＷｅｂＰＡＤ１００は、ウェブ情報を外部周辺機器にＳＣＳＩコネクタを介してダウンロードすることができる。筐体のセキュリティ部は、指紋認識装置、音声認識装置、網膜認識装置など、生体情報を利用するバイオメトリック装置であってもよい。
【００２７】
アッパーカバー１１０と、トレイ１２６と、ローアーカバー１４０は、比較的強度の高いマグネシウムで構成される。これにより、電子機器１００の小型化、薄型化及び軽量化を図ることができる。ホールド部１２８及び１３０は、ユーザがＷｅｂＰＡＤ１００を掴む把持部であり、熱伝導率が低い樹脂を利用してモードによって構成される。把持部に熱伝導率の低い（例えば、０．５Ｗ／ｍ）の樹脂を使用することにより、ユーザが低温火傷することを防止することができる。また、樹脂は、ユーザの低温火傷を防止するだけでなく、滑り止め機能も有してユーザの手からＷｅｂＰＡＤ１００が滑って落下することを防止して携帯性を更に向上させている。
【００２８】
アッパーカバー１１０は中央に開口１１１が形成され、タッチパネル１２２を露出する。アッパーカバー１１０には、タッチパネル１２２を操作する際に使用されるペン１５０を収納するペンホルダ１１２が右上に形成される。ペンホルダ１１２は、ペン１５０を押し込むとこれを固定し、再度ペン１５０を押し込むとペン１５０を取り出し可能にするポップアップ機構を有する。このようなポップアップ機構には、当業界で周知のいかなる構成をも使用することができるので、ここでは詳しい説明は省略する。
【００２９】
図３（ｂ）に示すように、アッパーカバー１１０とローアーカバー１４０の上部右側には、無線ＬＡＮカード１５４が挿脱可能なカードスロットがペンホルダ１１２の横に設けられている。無線ＬＡＮカード１５４により、家庭でテレビを見たり、別のコンピュータとネットワーク接続したり、インターネットにアクセスしたりすることができる。また、アッパーカバー１１０とローアーカバー１４０の上部中央には、ＷｅｂＰＡＤ１００の機能を拡張するための機能拡張装置（例えば、ＵＳＢカメラ）を接続するためのＵＳＢポート１５２が設けられている。
【００３０】
アッパーカバー１１０とローアーカバー１４０は、左部切り欠き１１５及び１４１、下部切り欠き１１６及び１４２、右部切り欠き１１７及び１４３をそれぞれ有する。右部切り欠き１１７及び１４３にはホールド部１２８が嵌合し、左部切り欠き１１５及び１４１にはホールド部１３０が嵌合し、下部切り欠き１１６及び１４２にはバッテリ部１７８が嵌合する。もちろん、図２は単なる例示であり、上下左右には異なる機能拡張部を収納して多機能化を図ることができる。
【００３１】
タッチパネル１２２は、指又はペン１５０によって押されることにより情報を電子機器１００に入力するための複数の電子ボタンを表示する。ＬＣＤ１２４は、操作情報、入力情報、ウェブの情報など各種の情報を表示する。かかるタッチパネル１２２及びＬＣＤ１２４には当業界で周知のいかなる技術をも適用することができるので、ここでは詳しい説明は省略する。
【００３２】
ローアーカバー１４０には、モールドのアンテナカバー１３４を右上部に収納する。アンテナカバー１３４は、図示しないアクセスポイントと交信してインターネットにアクセスするための図示しない無線アンテナ（ＰＣカード）を保護する。アンテナが外部に露出しないのでアンテナが曲がったり、折れたりするなどの破損を防止することができる。
【００３３】
図３（ａ）に示すように、ホールド部１３０には、ＬＥＤ１５６と、Ｉｒ受信部１５８とが設けられている。ＬＥＤ１３２は、例えば、バッテリの容量、外部電源との接続、無線通信状態、メモリへのアクセス、電子機器の異常をそれぞれ表示する５つのランプから構成されている。Ｉｒ受信部１５８は、コンシューマーＩＲとして機能し、ワイヤレスキーボード、ワイヤレスポインティングデバイスやテレビのリモコンと交信することができる。
【００３４】
図３（ａ）に示すように、ホールド部１２８及び１３０には、スピーカー１６０が設けられている。かかるスピーカーを通じて、インターネットを介して得られる音声情報やＷｅｂＰＡＤ１００にインストールされているソフトウェアを再生することができる。かかるソフトウェアは、例えば、ウェブブラウザ、電子メールアプリケーション、タッチパネル１２２用のバーチャルキーパッド、個人情報管理マネージャ等を含む。
【００３５】
図３（ｃ）に示すように、ホールド部１３０の左側部には、電源スイッチ１６２、リセットスイッチ１６４、外部マイク用コネクタ１６６、ヘッドホン用コネクタ１６８、ＩｒＤＡポート１７０が設けられている。電源スイッチ１６２はＷｅｂＰＡＤ１００の電源をオン及びオフするのに使用されるスイッチである。リセットスイッチ１６４はＷｅｂＰＡＤ１００を再起動するのに使用されるスイッチである。外部マイク用コネクタ１６６は外部マイク端子が接続されるコネクタである。ヘッドホン用コネクタ１６８は、スピーカー１６０から出力される音声をヘッドホンから出力するために、ヘッドホンの端子が接続されるコネクタである。ＩｒＤＡポート１７０は赤外線通信用のポートである。ＩｒＤＡは、デジタルカメラとパソコンや携帯情報端末などとの間で赤外線により画像を転送するためＩｒＴｒａｎ−Ｐを含む概念である。
【００３６】
図３（ｂ）及び（ｄ）に示すように、ホールド部１２８及び１３０には、放熱部１７２が設けられている。放熱部１７２は、４つの開口部（風穴）と内部に図示しないファンを備える。従来のＷｅｂＰＡＤの筐体はＬＣＤ部の薄型化からファンを備えることができなかったが、ＷｅｂＰＡＤ１００は、周囲１０４の厚さが厚さが厚いためにファンを設けることができ、ＷｅｂＰＡＤ１００の放熱効率を高めて内部電子回路の熱破壊を防止している。
【００３７】
図３（ｄ）に示すように、ホールド部１２８の右側部には、ＡＣアダプタ用のコネクタ１７４が設けられ、ホールド部１２８の内部にはインバータ１７６が設けられる。ＡＣアダプタ用のコネクタ１７４は、外部電源を利用してＷｅｂＰＡＤ１００を駆動するのに使用され、インバータ１７６はＬＣＤ１２４のバックライトに使用される。インバータ１７６は、例えば、圧電タイプを使用することができる。
【００３８】
ある実施形態においては、ホールド部は全部又は一部が取り外し可能で、取り外された部分は電話の受話器として機能する。ディジタルカメラと電話機能により、ＷｅｂＰＡＤ１００は、テレビ電話として機能することができ、多機能化を図ることができる。別の実施形態では、ホールド部はカードリーダとして機能する。なお、カードは、クレジットカードなどの磁気カードに限らず、接触型及び非接触型のＩＣカード、メモリカード、拡張カードでもよい。このため、カードリーダは、ＩＣカードに電子マネーを格納するリーダライタをも含む概念である。別の実施形態では、周囲１０４又はホールド部１２８及び１３０が複数の種類用意され、所望の部材が選択可能に構成されている。例えば、テレビ電話の使用を重視するユーザは、図２に示すホールド部１２８に代えて電話機能を有するホールド部を使用することができる。このような選択は、その機能が必要ではないユーザに対しては軽量化のメリットを与え、その機能が必要なユーザに対しては多機能化のメリットを与える。
【００３９】
図２を参照して上述したように、アッパーカバー１１０の下部切り欠き１１６とローアーカバー１４０の下部切り欠き１４２にはバッテリ部１７８が嵌合される。バッテリ部１７８はマグネシウム製のケース内に電子機器の電源としてのバッテリを収納する。かかるバッテリは充電可能な二次バッテリであり、ＷｅｂＰＡＤ１００は、バッテリを充電するための充電器（クレイドル）と接続可能な接続部を、図５を参照して後述されるように、中央部１０２の背面に有する。
【００４０】
図２には省略されているが、図４に示すように、パイプ状の周辺１０４と、電子回路（即ち、タッチパネル１２２、ＬＣＤ１２４、トレイ１２６、メインボード１３２）との間には、電子回路に加わる衝撃を低減するための衝撃吸収部材１０６が配置されることが好ましい。ここで、図４は、衝撃吸収部材１０６の概略斜視図である。衝撃吸収部材１０６は、電子回路を挟むようなほぼＵ字状断面を有し、周囲１０４のほぼＵ字状断面に嵌合する。衝撃吸収部材１０６は、例えば、ゴムから構成されるが、衝撃や振動を吸収して周囲１０４のパイプ内に適合するものであれば衝撃吸収部材の材質、形状等を問わない。周囲１０４のパイプの空洞を利用して衝撃吸収部材１０６を固定し、その衝撃吸収部材１０６に電子回路を固定することによって、ＷｅｂＰＡＤ１００に加わった衝撃を軽減して電子回路を破壊から保護することができる。
【００４１】
以下、図５を参照して、ＷｅｂＰＡＤ１００の背面について説明する。ここで、図５（ａ）は、ＷｅｂＰＡＤ１００の背面図、図５（ｂ）は、図５（ａ）をＡ方向から見た概略部分透視平面図で、図５（ｃ）は、図５（ａ）をＢ方向から見た概略部分透視平面図である。
【００４２】
図５に示すように、ローアーカバー１４０の背面には、バッテリを充電するための図示しない充電器（クレイドル）と接続可能な接続部１８０が設けられている。
【００４３】
また、ＷｅｂＰＡＤ１００は、ＷｅｂＰＡＤ１００を卓上に所定の傾斜姿勢で載置するためのスタンド機構１９０が設けられている。これにより、ＷｅｂＰＡＤ１００は卓上の使用にも適するようになる。もちろん本発明に適用可能なスタンド機構は、スタンド機構１９０に限定されず、例えば、ホールド部１２８及び１３０に収納及び取り出し可能なチルト脚などを利用することができる。また、本発明は、ＷｅｂＰＡＤ１００が、オプションで別体の専用支持台に着脱可能に搭載されることを妨げるものではない。
【００４４】
スタンド機構１９０は、一対の回転部１９１と、支持部１９２とを有する。回転部１９１は、図５（ａ）に示すように、ほぼ直線形状を有してローアーカバー１４０のスタンドヒンジ１４４に回転可能に設けられている。支持部１９２は、ほぼＵ字形状を有して回転部１９１に接続部１９３を介して回転可能に取り付けられ、後述するロック部１４５と係合する係合溝１９２ａを有する。
【００４５】
スタンド機構１９０は折り畳み及び展開可能で、図５（ａ）は折り畳まれた状態のスタンド機構１９０を示している。折り畳まれた状態では、スタンド機構１９０の支持部１９２は、ローアーカバー１４０に設けられた一対のロック部１４５に固定される。ロック部１４５は、不使用時にスタンド機構１９０を固定してその展開を防止して、不使用時にスタンド機構１９０が外部部材と接触して折れ曲がることを防止する。
【００４６】
ロック部１４５は、Ｃ方向に移動可能でＣ１方向に付勢されている。図５（ａ）及び図６に示すように、ロック部１４５は、Ｃ方向に曲面を有する。ここで、図６（ａ）は、ロック部１４５付近の部分拡大斜視図であり、図６（ｂ）は、その部分拡大断面図である。ユーザが指で支持部１９２をローアーカバー１４０に向かって押圧すると係合溝１９２ａの底部に押されてロック部１４５はＣ２方向に退避して支持部１９２がローアーカバー１４０に当接することを許容する。その後、Ｃ１方向に付勢されているロック部１４５の先端の係合部１４５ａが係合溝１９２ａに嵌合して支持部１９２をロックする。
【００４７】
図５（ｂ）及び図５（ｃ）は、折り畳まれたスタンド機構１９０は、前記表示部から見たスタンド機構１９０の高さＨ４はローアーカバー１４０の高さＨ３よりも低いことを示している。換言すれば、ＷｅｂＰＡＤ１００を、図５（ａ）のＡ及びＢ方向のいずれから水平に見てもスタンド機構１９０は見えず、スタンド機構１９０をＷｅｂＰＡＤ１００に設けてもその薄型化を妨げない。このように、本実施形態は、ローアーカバー１４０と中央部１０２の背面との高さの差（Ｈ３−Ｈ４）によって決定される空間を有効に利用している。
【００４８】
支持部１９２のロック部１４５によるロックを解除する場合には、ユーザは指でロック部１４５をＣ２方向に移動して支持部１９２をローアーカバー１４０から起立する。その後、起立した支持部１９２は接続部１９３の周りに回転され、更に、ローアーカバー１４０に形成されたスタンド保持部１４６に保持される。保持された支持部１９２は筐体１０１を支持する。かかる様子を図７に示す。図７に示すように、支持部１９２がスタンド保持部１４６に保持されることによってＷｅｂＰＡＤ１００は卓上で所定の傾斜姿勢を維持することができる。
【００４９】
本出願は更に以下の事項を開示する。
【００５０】
（付記１）　携帯型電子機器であって、情報を表示するための第１の表示部と、前記第１の表示部の周りに設けられて前記第１の表示部よりも厚い厚さを有する保護部であって、前記第１の表示部を保護部から窪んだ位置に配置することによって前記第１の表示部を保護するほぼパイプ形状を有する保護部とを有することを特徴とする電子機器。（１）
（付記２）　携帯型電子機器であって、情報を表示するための第１の表示部と、前記第１の表示部の周りに設けられて前記第１の表示部よりも厚い厚さを有する保護部であって、前記第１の表示部を保護部から窪んだ位置に配置することによって前記第１の表示部を保護する保護部と、前記保護部に収納され、前記電子機器の機能を拡張する機能拡張部とを有することを特徴とする電子機器。（２）
（付記３）　前記電子機器は、前記第１の表示部と前記保護部との間に配置され、前記第１の表示部に加わる衝撃を低減するための衝撃吸収部材を更に有することを特徴とする付記１又は２記載の電子機器。（３）
（付記４）　前記保護部は、第１の材料からなる基部と、第１の材料よりも熱伝導率が低い第２の材料からなる把持部とを有することを特徴とする付記１又は２記載の電子機器。（４）
（付記５）　前記第１の材料はマグネシウムを含むことを特徴とする付記５記載の電子機器。（５）
（付記６）　前記第２の材料は樹脂を含むことを特徴とする付記５記載の電子機器。（６）
（付記７）　前記機能拡張部は、無線通信部を有することを特徴とする付記２記載の電子機器。（７）
（付記８）　前記機能拡張部は、ディジタル情報として被写体を撮影可能な電子撮像部を有することを特徴とする付記２記載の電子機器。
【００５１】
（付記９）　前記機能拡張部は、電話の機能を有することを特徴とする付記２記載の電子機器。
【００５２】
（付記１０）　前記機能拡張部は、ディジタル情報として被写体を撮影可能な電子撮像部と電話の機能とを有し、前記電子機器をテレビ電話として機能することを可能にすることを特徴とする付記２記載の電子機器。（８）
（付記１１）　前記機能拡張部は、前記表示部を卓上に所定の傾斜姿勢で載置するためのスタンドを有することを特徴とする付記２記載の電子機器。
【００５３】
（付記１２）　前記スタンドは前記保護部に対して回転可能に設けられ、前記電子機器は前記スタンドと係合して前記スタンドを固定するための保持部を更に有することを特徴とする付記１１記載の電子機器。
【００５４】
（付記１３）　前記スタンドは前記保護部に対して折り畳み可能に設けられ、前記電子機器は前記折り畳まれたスタンドを固定するためのロック部を更に有することを特徴とする付記１１記載の電子機器。
【００５５】
（付記１４）　前記折り畳まれたスタンドは部分的に前記表示部上に載置され、前記表示部から見た前記スタンドの高さは前記保護部の高さよりも低いことを特徴とする付記１３記載の電子機器。
【００５６】
【発明の効果】
以上説明したように本発明の電子機器によれば、小型化、薄型化、軽量化、多機能化を追及しつつ携帯性と耐衝撃性を高めた携帯型電子機器を提供することができる。
【図面の簡単な説明】
【図１】図１（ａ）は、本発明の一実施形態の電子機器（ＷｅｂＰＡＤ）の外観斜視図であり、図１（ｂ）は、図１（ａ）に示す電子機器の端部の誇張された部分拡大断面図である。
【図２】図１に示す電子機器の展開斜視図である。
【図３】図３（ａ）は、図１に示す電子機器の平面図、図３（ｂ）は、その上面図、図３（ｃ）は、その左側面図、図３（ｄ）は、その右側面図である。
【図４】図１に電子機器のパイプ状の周囲の内部に配置可能な衝撃吸収部材を説明するための概略斜視図である。
【図５】図５（ａ）は、図１に示す電子機器の背面図、図５（ｂ）は、図５（ａ）のＡ方向から見た概略部分透視平面図で、図５（ｃ）は、図５（ａ）のＢ方向から見た概略部分透視平面図である。
【図６】図６（ａ）は、図５に示すスタンド機構とロック部との係合を説明するための概略斜視図で、図６（ｂ）は概略断面図である。
【図７】図５に示すスタンド機構によって電子機器が卓上に置かれた状態を示す概略斜視図である。
【符号の説明】
１００　　　　　　　　　電子機器（ＷｅｂＰＡＤ）
１０２　　　　　　　　　中央部
１０４　　　　　　　　　周囲
１５０　　　　　　　　　ペン
１２２　　　　　　　　　タッチパネル
１２４　　　　　　　　　ＬＣＤ
１２８、１３０　　　　　ホールド部
１５６　　　　　　　　　ＬＥＤ
１５８　　　　　　　　　Ｉｒ受信部
１６０　　　　　　　　　スピーカー
１６２　　　　　　　　　電源スイッチ
１６４　　　　　　　　　リセットスイッチ
１６６　　　　　　　　　外部マイク用コネクタ
１６８　　　　　　　　　ヘッドホン用コネクタ
１７０　　　　　　　　　赤外線データ通信用ポート
１７２　　　　　　　　　放熱部
１７６　　　　　　　　　インバータ
１７８　　　　　　　　　バッテリ部
１８０　　　　　　　　　充電器との接続部
１９０　　　　　　　　　スタンド機構
【図１】
2004021862.tif 000003
【図２】
2004021862.tif 000004
【図３】
2004021862.tif 000005
【図４】
2004021862.tif 000006
【図５】
2004021862.tif 000007
【図６】
2004021862.tif 000008
【図７】
2004021862.tif 000009